(57)【要約】【課題】かご呼びの登録などが、より的確に行えるエレベーター制御システムを提供する。【解決手段】乗客が所持する無線端末と、かごの乗り場に設置され、無線端末と無線通信を行う第１の無線通信装置と、かごの内部に設置され、無線端末と無線通信を行う第２の無線通信装置と、エレベーターのかごを制御する制御部とを備える。そして、第１の無線通信装置での無線端末からの信号の受信に基づいて、制御部がかご呼びを登録した状況で、無線端末が第２の無線通信装置と一時的に通信を行った後、さらに第１の無線通信装置が無線端末と無線通信を行う状況が発生したとき、かご呼びの登録を再度行うようにした。これにより、満員でかごに乗れなかった場合であっても、乗客が、かご呼び釦を押す操作を不要とした。【選択図】図１
2017095213.tif 000002
【特許請求の範囲】
【請求項１】
乗客が所持する無線端末と、
かごの乗り場に設置され、前記無線端末と無線通信を行う第１の無線通信装置と、
前記かごに設置され、前記無線端末と無線通信を行う第２の無線通信装置と、
エレベーター及び／又は無線端末の識別データが予め登録され、前記第１の無線通信装置及び前記第２の無線通信装置が前記無線端末と無線通信を行うことで受信した識別データと、予め登録された前記エレベーター及び／又は無線端末の識別データとを照合する照合部と、
前記照合部で、前記第１の無線通信装置が受信した識別データと前記予め登録された識別データとが一致したとき、かご呼びを登録し、
前記照合部で、前記第２の無線通信装置が受信した識別データと前記予め登録された識別データとが一致したとき、前記識別データごとに設定された行先階登録を行う制御部とを備え、
前記第１の無線通信装置での受信に基づいて前記制御部が前記かご呼びを登録した状況で、前記無線端末が前記第２の無線通信装置と一時的に通信を行った後、さらに前記第１の無線通信装置が前記無線端末と無線通信を行うことにより、前記照合部で前記受信した識別データと前記予め登録された識別データが一致したとき、前記かご呼びの登録を再度行うようにした
エレベーター制御システム。
【請求項２】
前記かご呼びの登録の再度の実行は、前記無線端末が前記第２の無線通信装置と所定の状態で無線通信を行った後、再度、第１の無線通信装置と所定の状態で無線通信を行ったときに、前記無線端末から送信されるデータに基づいて前記制御部が行うようにした
請求項１に記載のエレベーター制御システム。
【請求項３】
前記所定の状態は、前記無線端末が、前記第１又は第２の無線通信装置との無線通信で、データ伝送が可能に接続された状態である
請求項２に記載のエレベーター制御システム。
【請求項４】
前記制御部は、前記無線端末から送信される信号を、前記第１の無線通信装置と前記第２の無線通信装置が同時に受信した場合に、前記第１の無線通信装置での受信レベルと、前記第２の無線通信装置での受信レベルとの比較に基づいて、前記かごのドア開及びドア閉の制御を行う
請求項１に記載のエレベーター制御システム。
【請求項５】
前記制御部は、前記第１の無線通信装置での受信レベルの方が、前記第２の無線通信装置での受信レベルよりも大きい場合又はほぼ等しい場合に、前記かごのドア開を維持する指令を出力し、前記第１の無線通信装置での受信レベルの方が、前記第２の無線通信装置での受信レベルの方が、前記第１の無線通信装置での受信レベルよりも大きい場合に、前記かごのドア閉の指令を出力する
請求項４に記載のエレベーター制御システム。
【発明の詳細な説明】
【技術分野】
【０００１】
本発明は、エレベーター制御システムに関する。
【背景技術】
【０００２】
通常、エレベーター装置は、エレベーター乗り場にかご呼び釦が設置され、かご内に行先階登録釦が設置される。
乗客がエレベーターを利用する際には、乗り場にて上り又は下りのかご呼び釦を押して、上り又は下りのかごをエレベーター乗り場に停止させる。そして、乗客は、到着したかごに乗り込んだ後、かご内の行先階登録釦を押して、行先階の指示を行う。
【０００３】
従来、このような乗客によるかご呼び釦や行先階登録釦の操作を不要とする技術が提案されている。例えば特許文献１には、エレベーターの乗り場とエレベーターかご内にアンテナを設置し、ＩＣタグを所持した乗客が乗り場の検知エリアに入ったときに、かご呼びを自動的に行うことが記載されている。さらに特許文献１には、乗客がかご内の検知エリアに入ったときに、予め登録された行先階の登録を自動的に行うことが記載されている。
なお、特許文献１ではＩＣタグを使用する例が記載されているが、例えばスマートフォンなどの無線通信機能を有する端末であれば、ＩＣタグと同様の制御が可能である。
【先行技術文献】
【特許文献】
【０００４】
【特許文献１】特開平２００５−２５５３２０号公報
【発明の概要】
【発明が解決しようとする課題】
【０００５】
乗り場やかご内のアンテナが乗客のＩＣタグと通信を行って、その通信に基づいた行先階制御を行うことで、乗客は、かご呼び釦や行先階登録釦を押す操作が不要になり、エレベーター利用時の利便性が向上する。
しかしながら、ＩＣタグと乗り場やかご内のアンテナとの通信に基づいて行先階の制御を行う場合でも、乗客は乗り場でかご呼び釦を押す操作が必要になる場合がある。例えば、到着したかごが満員で、乗客がそのかごに乗れない場合で、満員のかごのドアが閉まった後には、乗客が手でかご呼び釦を押す操作が必要になる。
【０００６】
つまり、エレベーターの制御システム側では、乗り場やかご内のアンテナとＩＣタグとの通信により、そのＩＣタグを所持した乗客がいる階の乗り場に、かごを到着させる。しかし、乗客は到着したかごに乗り込むことができればよいが、上述のように、現実の問題として、かごが満員で乗れない状況が多々発生する。
したがって、従来のＩＣタグを利用したエレベーターの自動呼び出しシステムは、完全な自動呼び出しとは言えず、乗客にとって必ずしも便利なものということはできなかった。
【０００７】
また、従来のＩＣタグを利用した制御は、かご呼び釦や行先階登録釦を押す替わりの制御が行われるだけであり、更により高度な制御が望まれていた。例えば、エレベーターかごに用意された釦としては、行先階登録釦以外に、ドアの開釦や閉釦などがあるが、ドアの開釦や閉釦は、ＩＣタグを所持した乗客がかごに乗降する場合であっても、状況に応じて適宜操作する必要があった。
【０００８】
本発明はこれらの点に鑑みてなされたものであり、かご呼びの登録などが、より的確に行えるエレベーター制御システムを提供することを目的とする。
【課題を解決するための手段】
【０００９】
上記課題を解決するために、例えば特許請求の範囲に記載の構成を採用する。
本願は上記課題を解決する手段を複数含んでいるが、その一例を挙げるならは、乗客が所持する無線端末と、かごの乗り場に設置され、無線端末と無線通信を行う第１の無線通信装置と、かごに設置され、無線端末と無線通信を行う第２の無線通信装置と、エレベーター及び／又は無線端末の識別データが予め登録され、第１の無線通信装置及び第２の無線通信装置が無線端末と無線通信を行うことで受信した識別データと、予め登録されたエレベーター及び／又は無線端末の識別データとを照合する照合部と、照合部で、第１の無線通信装置が受信した識別データと予め登録された識別データとが一致したとき、かご呼びを登録し、照合部で、第２の無線通信装置が受信した識別データと予め登録された識別データとが一致したとき、識別データごとに設定された行先階登録を行う制御部とを備える。
そして、第１の無線通信装置での受信に基づいて制御部がかご呼びを登録した状況で、無線端末が第２の無線通信装置と一時的に通信を行った後、さらに第１の無線通信装置が無線端末と無線通信を行うことにより、照合部で受信した識別データと予め登録された識別データが一致したとき、かご呼びの登録を再度行うようにした点を特徴とする。
【発明の効果】
【００１０】
本発明によれば、乗客がエレベーターのかごに満員などのために乗れなかった場合であっても、乗り場のかご呼び釦を押すことなくかご呼びを行うことができるので、乗客にとっては、釦操作の手間が省ける点で効果的であるということができる。
上記した以外の課題、構成及び効果は、以下の実施形態の説明により明らかにされる。
【図面の簡単な説明】
【００１１】
【図１】本発明の一実施の形態によるエレベーター制御システムの全体構成例を示した概略ブロック図である。
【図２】本発明の一実施の形態による、乗り場から乗客が、かご呼びを行う場合の例を示す模式図である。
【図３】本発明の一実施の形態による、乗り場から乗客がかご内に移動し、かご内から行先階登録を行う場合の例を示す模式図である。
【図４】本発明の一実施の形態による、無線端末での処理例を示すフローチャート（その１）である。
【図５】本発明の一実施の形態による、無線端末での処理例を示すフローチャート（その２）である。
【図６】本発明の一実施の形態による、２つの無線通信装置での受信レベルに応じた制御例を示すフローチャートである。
【発明を実施するための形態】
【００１２】
以下、本発明の一実施の形態例（以下、「本例」と称する。）を、添付図面を参照して説明する。
［１．システムの概要］
図１は、本例のエレベーター制御システムの概略構成を示す図である。
本例のシステムでは、エレベーターを利用する乗客は、無線端末１を所持する。無線端末１は、例えばスマートフォンなどの乗客が常時携帯する端末であり、無線ＬＡＮ（Local Area Network）などの通信規格で、アクセスポイントなどと無線通信を行う。本例の場合には、無線端末１が、後述する第１の無線通信装置２（乗り場）及び第２の無線通信装置３（かご内）と無線通信を行う。乗客が所持する無線端末１には、エレベーター呼び出し用のアプリケーションプログラムが実装されている。エレベーター呼び出し用のアプリケーションプログラムの実行により、無線端末１には、乗客が利用するエレベーターの識別ＩＤ（エレベーター識別ＩＤ）と、そのエレベーターで乗り降りする階が登録される。また、それぞれの無線端末１には、端末固有の識別データである端末ＩＤが登録されている。これらのエレベーター識別ＩＤや端末ＩＤなどのデータは、無線通信時に第１の無線通信装置２（乗り場）及び第２の無線通信装置３（かご内）に送信される。
【００１３】
すなわち、本例のシステムは、エレベーター６のかごの各階の乗り場に、第１の無線通信装置２を備え、かご内に第２の無線通信装置３を備える。それぞれの無線通信装置２、３は、無線ＬＡＮなどの無線規格で近隣の無線端末１との無線通信ができるように設定されている。
図１では、第１の無線通信装置２と第２の無線通信装置３は、それぞれ１台ずつを示すが、実際には、第１の無線通信装置２は、建物の乗り場の数だけ用意され、第２の無線通信装置３は、かごの数だけ用意される。各無線通信装置２，３が無線端末１と通信可能な範囲を検知エリアと称する。乗り場に設置された第１の無線通信装置２の場合、検知エリアは、例えば乗り場の半径数ｍ程度の範囲に設定される。また、かごに設置された第２の無線通信装置の場合、かご内が検知エリアに設定される。但し、かごのドアが開いている場合には、第１の無線通信装置２の検知エリアは、乗り場からドアが開いたかごの内部まで広がり、第２の無線通信装置３の検知エリアは、かご内から乗り場まで広がる。このような検知エリアの変化は、ドアの開閉により電波の届く範囲が変化することに起因する。
【００１４】
第１の無線通信装置２と第２の無線通信装置３が受信したデータは、照合部４に供給される。照合部４には、予めエレベーター識別ＩＤや端末ＩＤが記憶されており、この照合部４において、各無線通信装置２，３から送信されたＩＤと、予め記憶されているＩＤとの照合処理が行われる。
【００１５】
そして、照合部４で行われた照合の結果、エレベーター識別ＩＤや端末ＩＤが各無線通信装置２，３から送信されたＩＤと一致した場合に、照合部４は、エレベーター制御部５に行先階データなどを送信する。
エレベーター制御部５は、照合部４から行先階データなどを受信すると、受信した行先階データに基づいて、かご呼びの登録や行先階登録を行う。なお、かご呼びの登録や行先階登録が行われる具体的な手順については後述する。
【００１６】
［２．無線端末を使用したエレベーターの制御例］
図２及び図３は、利用者が所持する無線端末１が送信した信号によるエレベーターの動作状態の概要を示す。
図２に示すように、無線端末１を所持した乗客Ｐ１がエレベーター乗り場の第１の無線通信装置２の検知エリアに入ったときには、第１の無線通信装置２で受信したデータが照合部４に送信され、照合部４での照合処理が行われる。そして、照合の結果で、予め登録されたデータと一致したとき、エレベーター制御部５に行先階のデータが送られる。
エレベーター制御部５は、行先階のデータに基づいて、第１の無線通信装置２が設置された乗り場のかご呼び釦９（上りかご呼び釦９ｕ又は下りかご呼び釦９ｄ）を点灯させ、上り又は下りのかご呼びを登録する。上りかご呼び釦９ｕと下りかご呼び釦９ｄのいずれが点灯するかは、行先階による。
【００１７】
そして、図３に示すように、登録されたかご呼びに基づいて、かご８が乗り場に到着して、乗り場のドア１１とかごのドア１２が開いたとき、乗客Ｐ１は、かご８に乗り込むことができる。
このとき、かご８に乗り込んだ乗客Ｐ２が所持する無線端末１は、かご８内に設置された第２の無線通信装置３と通信を行う。このとき第２の無線通信装置３が受信したデータが照合部４に送られて、照合部４で照合が行われる。この照合により、予め登録されたデータと一致したとき、エレベーター制御部５に行先階のデータが送られる。
エレベーター制御部５は、行先階のデータに基づいて、第２の無線通信装置３が設置されたかご８の該当する階の行先階釦を点灯させ、行先階を登録する。
【００１８】
このようにして、本例のエレベーター制御システムによると、予め行先階を登録した無線端末１を所持した乗客は、乗り場のかご呼び釦や、かご８内の行先階釦を押す操作を行うことなく、目的とする行先階まで行くことが可能になる。ここまでは従来から提案されている無線端末１を使用したエレベーター制御システムと同じであるが、本例においては、かご呼び登録を行った状況で、乗り場に到着したかご８が満員などで、乗客Ｐ１が乗れないとき、再度自動的にかご呼び登録が行われる。また、かご８が乗り場に到着した際には、エレベーター制御部５は、無線端末１と各無線通信装置２，３との通信状況に応じて、各ドア１１，１２の開時間を適切に設定する制御を行う。これらの制御を行うための処理の詳細を以下説明する。
【００１９】
［３．無線端末での具体的な処理例］
図４及び図５は、無線端末１に実装されたアプリケーションプログラムが実行する処理手順を示すフローチャートである。図４に示す「Ａ」の個所が、図５に示す「Ａ」の個所に続き、図５に示す「Ｂ」の個所が、図４に示す「Ｂ」の個所に続く。
【００２０】
無線端末１を所持した乗客Ｐ１がエレベーター乗り場の第１の無線通信装置２の検知エリアに入ったとき、無線端末１は、第１の無線通信装置２から送信された電波を受信する（ステップＳ１１）。このとき、無線端末１では、第１の無線通信装置２とデータ通信が可能な状態に接続させる認証処理が実行される。そして、無線端末１は、認証処理が完了して無線端末１が第１の無線通信装置２と接続済みになったか否かを判断する（ステップＳ１２）。ステップＳ１２で、接続済でないと判断したとき、無線端末１は、第１の無線通信装置２と接続する認証処理を実行する（ステップＳ１３）。
【００２１】
ステップＳ１２で接続済みと判断したとき、及びステップＳ１３で接続作業が完了したとき、無線端末１は、第１の無線通信装置２に対して、エレベーター識別ＩＤと行先階登録データを送信する（ステップＳ１４）。ここで、無線端末１が照合部４に登録済みである場合には、照合部４での照合が完了し、行先階登録データがエレベーター制御部５に送られる。エレベーター制御部５は、受け取った行先階登録データに対応した乗り場のかご呼び釦９を点灯させて、かご呼びを登録する。
【００２２】
このようなかご呼び登録が行われることで、かご８が乗り場に到着し、乗り場及びかご８のドア１１，１２が開く。このとき、乗り場にいる乗客Ｐ１が所持する無線端末１は、かご８内に設置された第２の無線通信装置３から送信された電波を受信するようになる（ステップＳ１５）。そして、無線端末１は、第２の無線通信装置３から送信された電波を検知している状態が続いているか否かを判断する（ステップＳ１６）。ここで、第２の無線通信装置３から送信された電波を検知している状態が続いている場合には、図３に示すように乗客Ｐ２がかご８に乗り込んだ状態に相当し、無線端末１は、図５のフローチャートのステップＳ２１の判断に移る。
【００２３】
一方、ステップＳ１６の判断で、第２の無線通信装置３から送信された電波を検知している状態が途切れた場合には、無線端末１は、かご８内の第２の無線通信装置３との認証処理が完了して一旦接続済みになったか否かを判断する（ステップＳ１７）。ここで、接続済でない場合には、無線端末１は、ステップＳ１５の処理に戻る。
【００２４】
ステップＳ１７で一旦接続済みになったと判断したとき、無線端末１は、ステップＳ１１の処理に戻る。すなわち、第２の無線通信装置３の電波を検知できない状況に変化したとき、乗客Ｐ１はドア１１，１２が開いたかご８には乗らず、乗り場にいる状態が続いている状況が想定され、ステップＳ１１からステップＳ１４までの行先階登録処理が再度行われる。したがって、エレベーター制御部５は、呼び登録を再度実行し、かご８の到着により消灯した呼び釦９が再度点灯する。
【００２５】
次に、図５のフローチャートに示す処理を説明する。
まず、無線端末１は、かご８内の第２の無線通信装置３との認証処理が完了して接続済みになったか否かを判断する（ステップＳ２１）。ステップＳ２１で、接続済でないと判断したとき、無線端末１は、第２の無線通信装置３と接続する認証処理を実行する（ステップＳ２２）。
【００２６】
ステップＳ２１で接続済みと判断されたとき、及びステップＳ２２で接続作業が完了したとき、無線端末１は、第２の無線通信装置３から受信した信号電波強度が基準レベル以上か否かを判断する（ステップＳ２３）。ここで、第２の無線通信装置３から受信した信号電波強度が基準レベル以上でない場合、無線端末１は、図４のフローチャートのステップＳ１５の処理に移る。
また、ステップＳ２３で、第２の無線通信装置３から受信した信号電波強度が基準レベル以上と判断したとき、無線端末１は、第１の無線通信装置２から受信した信号電波強度が基準レベル以下か否かを判断する（ステップＳ２４）。ここで、第１の無線通信装置２から受信した信号電波強度が基準レベル以下でない場合、無線端末１は、図４のフローチャートのステップＳ１５の処理に移る。
【００２７】
ステップＳ２４で第１の無線通信装置２から受信した信号電波強度が基準レベル以下であると判断した場合、図３に示すように、乗客Ｐ２がかご８に乗り込んだ状況が想定され、無線端末１は、第２の無線通信装置３に対して、エレベーター識別ＩＤと行先階登録データを送信する（ステップＳ２５）。ここで、無線端末１が照合部４に登録済みである場合には、照合部４での照合が完了し、行先階登録データがエレベーター制御部５に送られる。そして、エレベーター制御部５は、受け取った行先階登録データに基づいて指示された階の行先階釦を点灯し、行先階登録を実行する。上述のような制御処理を行うことにより、無線端末１を使用したエレベーターの制御が行われ、無線端末１を所持した乗客は、かご呼び釦や行先階釦を押す操作を行う必要がなくなる。
【００２８】
また、ステップＳ２３の条件を満たさない場合と、ステップＳ２４の条件を満たさない場合において、図４のフローチャートのステップＳ１５の処理に移ったときには、乗客Ｐ１がかご８に乗り込んでいない状況である。このような状況では、無線端末１は、ステップＳ１６，Ｓ１７での判断を経て、ステップＳ１１からの処理を再度実行し、ステップＳ１４での行先階登録データなどの送信で、エレベーター制御部５が、かご呼び登録を再度実行するようになる。
したがって、本例のエレベーター制御システムによると、図３に示すようにかご８が乗り場に到着した後に、到着したかご８に乗らなかったときには、再度かご呼び登録が行われ、乗客Ｐ１が手動でかご呼び釦９を押す必要がない。すなわち、かご呼び登録が行われた状況で乗り場に到着したかご８が満員などで乗れなかった場合であっても、乗客Ｐ１は、改めてかご呼び釦９を押す必要がなく、乗り場の乗客Ｐ１は、そのままかご８が再度到着するのを待っていればよい。
【００２９】
［４．ドアの開時間を制御する処理例］
本例のエレベーター制御システムでは、ここまで説明した、かご８の呼び登録を再度行う処理の他に、呼び登録を行って乗り場に到着したかご８に乗客が乗り込む際に、ドア１１，１２の開時間を制御することが可能である。
図６のフローチャートは、エレベーター制御部５が、ドア１１，１２の開時間を制御する処理を行う際の処理例を示す。
【００３０】
まず、エレベーター制御部５は、乗り場に設置された第１の無線通信装置２と、かご８内に設置された第２の無線通信装置３の双方で、同じ無線端末１からの電波を受信した状況か否かが判断される（ステップＳ３１）。ここで、２つの無線通信装置２，３から同じ無線端末１からの信号を受信できない場合には、そのまま待機し、エレベーター制御部５はステップＳ３１の判断を繰り返し実行する。
【００３１】
そして、ステップＳ３１で、２つの無線通信装置２，３が同じ無線端末１からの信号を受信したとき、エレベーター制御部５は、それぞれの無線通信装置２，３での電波の受信レベルが、予め設定した閾値以上であるか否かを判断する（ステップＳ３２）。ここでの閾値としては、例えば、図３に示すようにドア１１，１２が開いた状況で、乗客がドア１１，１２の近辺にいるかどうかを判断するための値に設定する。ここで、無線通信装置２，３での受信レベルが、いずれか１つでも予め設定した閾値以上でない場合には、エレベーター制御部５は、ステップＳ３１の判断に戻る。例えば、乗客が乗り場のドア１１から離れた場所にいる場合には、第２の無線通信装置３の受信レベルが閾値以下になり、エレベーター制御部５は、ステップＳ３１の判断に戻る。
【００３２】
そして、ステップＳ３２で２つの無線通信装置２，３での電波の受信レベルが、いずれも閾値以上で比較的強いレベルであるとき、エレベーター制御部５は、受信レベル優先モードを設定する（ステップＳ３３）。この受信レベル優先モードを設定したとき、エレベーター制御部５は、第１の無線通信装置２での受信レベルと、第２の無線通信装置３での受信レベルとを比較する（ステップＳ３４）。
【００３３】
このステップＳ３４の比較で、かご内の第２の無線通信装置３の受信レベルの方が乗り場の第１の無線通信装置２の受信レベルより大きい場合には、エレベーター制御部５は、かご８に対して、ドア閉の指令を出力する。このドア閉の指令を受信したかご８は、ドア１１，１２を閉状態とする（ステップＳ３５）。但し、このとき、かご８内でのドア釦の操作や、ドア１１，１２に取り付けられたセンサーでの乗降の検出などがあった場合には、これらのかご８側での操作や検出を優先し、ドア１１，１２を閉状態とする操作を行わない。そして、ステップＳ３５でドア１１，１２が閉状態となったとき、エレベーター制御部５は、受信レベル優先モードを終了する（ステップＳ３６）。
【００３４】
また、ステップＳ３４での比較で、乗り場の第１の無線通信装置２の受信レベルの方がかご内の第２の無線通信装置３の受信レベルより大きい場合には、エレベーター制御部５は、ドア１１，１２が乗り場に到着してドア開となってから、一定時間が経過したか否かを判断する（ステップＳ３７）。ここでは、一定時間として３０秒程度の比較的長い時間を設定して、受信レベル優先モードで必要以上に長くドア開が継続することを防ぐ。ステップＳ３７で一定時間が経過したと判断したとき、エレベーター制御部５は、ステップＳ３６の処理に移って受信レベル優先モードを終了し、通常のドア制御モードに戻る。
【００３５】
そして、ステップＳ３７で一定時間が経過していないと判断したとき、エレベーター制御部５は、かご８に対して、ドア開維持の指令を出力する（ステップＳ３８）。このドア開維持の指令を受信したかご８は、ドア１１，１２の開状態を維持する。ステップＳ３８のドア開維持の指令を出力した後、エレベーター制御部５は、ステップＳ３４の比較処理に戻る。
【００３６】
この図６のフローチャートに示すように受信レベル優先モードを設定することで、無線端末１を所持した乗客が、開状態となったドア１１，１２の近辺の乗り場にいる状況では、ドア１１，１２の開維持指令が出力され、ドア１１，１２が開状態を維持する。したがって、無線端末１を所持した乗客が乗り込む途中では、ドア１１，１２が閉まることがなく、他の乗客が、かご８に設けられたドア開釦を押して、開状態を維持させるような操作が不要になる。そして、乗客がかご８に乗り込んだ際には、第２の無線通信装置３の受信レベルの方が、第１の無線通信装置２の受信レベルよりも大きくなり、ステップＳ３４からステップＳ３５に移り、直ちにドア１１，１２が閉まるようになる。
したがって、本例のエレベーター制御システムによると、無線端末１を所持した乗客がかご８に乗り込む際には、ドア１１，１２の開閉制御を、乗客の乗り込み状況に応じて適切に行えるようになる。
【００３７】
なお、図６のフローチャートでは、乗客が乗り場からかご８に乗り込む際の制御処理について説明した。これに対して、例えば登録した行先階にかご８が到着して、ドア１１，１２が開いた際にも、その到着階での乗り場の第１の無線通信装置２の受信レベルと、かご８内の第２の無線通信装置３の受信レベルの比較で、ドア１１，１２の開状態を制御してもよい。このように制御することで、乗客がかご８から降りる際にも、ドア１１，１２の開閉制御を適切に制御できるようになる。
【００３８】
［変形例］
なお、乗客が携帯する無線端末１として、スマートフォンを使用するのは１つの例であり、例えばＮＦＣ（Near Field Communication）と称される近接無線通信を行う、いわゆる非接触ＩＣカードなどの無線端末を使用してもよい。
【００３９】
また、上述した実施の形態例では、無線端末１を所持した乗客が満員などでかご８に乗らなかった場合に、再度呼び登録する処理を、図４及び図５のフローチャートで説明した無線端末１での処理に基づいて、エレベーター制御部５が行うようにした。これに対して、エレベーター制御部５又は照合部４が、無線端末１を所持した乗客が、乗り場に到着したかご８に乗ったか否かを検出して、かご８に乗らずに乗り場にいる状態のとき、同様の制御を行うようにしてもよい。この場合の乗客がかご８に乗ったか否かの検出処理については、例えば図６のフローチャートで説明したような、２つの無線通信装置２，３の受信レベルの比較で可能である。
【００４０】
また、上述した実施の形態例では、照合部４は、エレベーターを識別するエレベーター識別ＩＤの照合を行う処理を説明したが、無線端末１を識別する端末ＩＤの照合を行うようにしてもよい。あるいは、照合部４は、エレベーター識別ＩＤと端末ＩＤの双方を照合してもよい。
【００４１】
また、本発明は上記した実施の形態例に限定されるものではなく、様々な変形例が含まれる。例えば、上記した実施の形態例は本発明を分かりやすく説明するために詳細に説明したものであり、必ずしも説明した全ての構成を備えるものに限定されるものではない。また、ある実施の形態例の構成の一部を他の実施の形態例や変形例の構成に置き換えることが可能であり、また、ある実施の形態例の構成に他の実施の形態例や変形例の構成に置き換えることも可能である。また、実施の形態例の構成の一部について、他の構成の追加・削除・置換をすることが可能である。
【００４２】
また、上記の各構成、機能、処理部、処理手段等は、それらの一部又は全部を、例えば集積回路で設計する等によりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
また、図１などの制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４３】
１…無線端末、２…第１の無線通信装置、３…第２の無線通信装置、４…照合部、５…エレベーター制御部、６…エレベーター、８…かご、９…かご呼び釦、９ｕ…上りかご呼び釦、９ｄ…下りかご呼び釦、１１，１２…ドア、Ｐ１，Ｐ２…乗客
【図１】
2017095213.tif 000003
【図２】
2017095213.tif 000004
【図３】
2017095213.tif 000005
【図４】
2017095213.tif 000006
【図５】
2017095213.tif 000007
【図６】
2017095213.tif 000008